(57)【要約】【課題】  効率的に連続して複数回の計数取引を行うことができる現金処理装置を提供する。【解決手段】    本発明は、現金を用いた取引処理を行う現金処理装置に関する。そして、本発明の現金処理装置は、現金の投入を受ける現金投入手段と、現金投入手段に投入された現金を計数する計数手段と、計数手段により計数された後に現金を返却する返却手段と、取引に関する情報を表示する表示部と、取引に関する情報入力を受け付ける入力部と、計数手段による計数が終了した際に、連続して次の計数取引を実行するか否かを問い合わせる問合せ画面を表示部に表示させ、入力部を用いて連続して次の計数取引を実行するか否かの入力を受け付け、入力された内容に従った取引処理を行う制御手段とを有することを特徴とする。【選択図】      図１
2018005279.tif 000002
【特許請求の範囲】
【請求項１】
現金を用いた取引処理を行う現金処理装置において、
現金の投入を受ける現金投入手段と、
前記現金投入手段に投入された現金を計数する計数手段と、
前記計数手段により計数された後に現金を返却する返却手段と、
取引に関する情報を表示する表示部と、
取引に関する情報入力を受け付ける入力部と、
前記計数手段による計数が終了した際に、連続して次の計数取引を実行するか否かを問い合わせる問合せ画面を前記表示部に表示させ、前記入力部を用いて連続して次の計数取引を実行するか否かの入力を受け付け、入力された内容に従った取引処理を行う制御手段と
を有することを特徴とする現金処理装置。
【請求項２】
前記返却手段は、前記計数手段により計数された紙幣を返却するための紙幣返却口と、前記計数手段により計数された硬貨を返却するための硬貨返却口とを有し、
前記紙幣返却口は、紙幣が取り出されたか否かを検知する紙幣センサーを備え、
前記硬貨返却口は、硬貨が取り出されたか否かを検知する硬貨センサーを備え、
前記制御手段は、前記計数手段による計数が終了した際に、前記入力部で次の計数取引を実行する旨の入力が行われた場合、前記紙幣センサーにより前記硬貨返却口からの硬貨の取り出しを確認せずに、次の計数取引に移行する
ことを特徴とする請求項１に記載の現金処理装置。
【請求項３】
前記制御手段は、前記計数手段による計数が終了した際に、前記入力部で次の計数取引を実行する旨の入力が行われた場合、前記紙幣センサーにより前記紙幣返却口からの紙幣の取り出しが検知された後、次の計数取引に移行することを特徴とする請求項２に記載の現金処理装置。
【請求項４】
前記制御手段は、前記計数手段による計数が終了した際に、前記紙幣返却口から紙幣の取り出しを要求する紙幣取出要求画面を前記表示部に表示させることを特徴とする請求項３に記載の現金処理装置。
【請求項５】
取引の内容を印刷したレシートを出力する印刷部をさらに備え、
前記制御手段は、連続して実行した計数取引のそれぞれに対応するレシートを前記印刷部に印刷させる
ことを特徴とする請求項４に記載の現金処理装置。
【請求項６】
前記制御手段は、前記入力部で次の計数取引を実行しない旨の入力が行われた場合、それまでに連続して実行された前記計数手段による計数結果のそれぞれに対応するレシートを前記印刷部に印刷させることを特徴とする請求項５に記載の現金処理装置。
【請求項７】
前記制御手段は、前記入力部で次の計数取引を実行する旨の入力が行われた場合、直前に前記計数手段が計数した計数結果のレシートを前記印刷部に印刷させることを特徴とする請求項５に記載の現金処理装置。
【請求項８】
前記制御手段は、前記入力部で次の計数取引を実行しない旨の入力が行われた場合、それまでに連続して実行された、前記計数手段による計数結果を総計したレシートを前記印刷部に印刷させることを特徴とする請求項６又は７に記載の現金処理装置。
【発明の詳細な説明】
【技術分野】
【０００１】
この発明は、現金処理装置に関し、例えば、運輸機関、金融機関、郵便局などで現金の管理を行う装置に適用し得る。
【背景技術】
【０００２】
従来、運輸機関、金融機関、郵便局等の拠点では、釣銭や売り上げ（例えば、荷物の送料や代金引換で受け取った現金等）等の現金を管理する現金処理装置が設置されている。従来の現金処理装置としては、例えば、特許文献１に記載された装置が挙げられる。
【０００３】
従来の現金処理装置では、通常、投入した現金を計数し、計数した金額をレシート等に出力する計数取引に対応している。
【先行技術文献】
【特許文献】
【０００４】
【特許文献１】特開２００２−２１６２１３号公報
【発明の概要】
【発明が解決しようとする課題】
【０００５】
しかしながら、従来の現金処理装置では、計数取引を行う度に、現金の投入処理、投入された現金の計数処理、及び計数した現金を排出して取出させる処理を行う必要がある。そのため、従来の現金処理装置では、複数の計数取引を連続して行う際、オペレータは、計数取引の都度、紙幣や硬貨を投入して、排出されるまで待ってから取り出すという作業を繰り返し行う必要があるため、非常に時間がかかってしまうという問題があった。例えば、多数の店舗（例えば、運輸機関の集配センタ等）を管理する支店において、１日の営業時間終了時に各店舗から収集した現金を店舗ごとに計数する処理を行う場合には、支店に設置された現金処理装置で店舗数分の計数処理を行うため、店舗数が多い場合には非常に時間がかかってしまうことになる。
【０００６】
以上のような問題に鑑みて、効率的に連続して複数回の計数取引を行うことができる現金処理装置が望まれている。
【課題を解決するための手段】
【０００７】
本発明は、現金を用いた取引処理を行う現金処理装置において、（１）現金の投入を受ける現金投入手段と、（２）前記現金投入手段に投入された現金を計数する計数手段と、（３）前記計数手段により計数された後に現金を返却する返却手段と、（４）取引に関する情報を表示する表示部と、（５）取引に関する情報入力を受け付ける入力部と、（６）前記計数手段による計数が終了した際に、連続して次の計数取引を実行するか否かを問い合わせる問合せ画面を前記表示部に表示させ、前記入力部を用いて連続して次の計数取引を実行するか否かの入力を受け付け、入力された内容に従った取引処理を行う制御手段とを有することを特徴とする。
【発明の効果】
【０００８】
本発明によれば、効率的に連続して複数回の計数取引を行うことができる現金処理装置を提供することができる。
【図面の簡単な説明】
【０００９】
【図１】第１の実施形態に係る現金管理装置で計数取引（通常の計数取引、又は連続計数取引）が行われる場合の動作の例について示したフローチャートである。
【図２】第１の実施形態に係る現金管理装置の機能的構成を示すブロック図である。
【図３】第１の実施形態に係る、現金管理装置の外観を示す斜視図である。
【図４】第１の実施形態に係る現金管理装置の利用環境の例について示した説明図である。
【図５】第１の実施形態に係る現金管理装置おいて、計数取引を行う際に、現金（紙幣及び効果）を出し入れする構成について示した説明図である。
【図６】第１の実施形態に係る現金管理装置で表示される取引選択画面について示した説明図である。
【図７】第１の実施形態に係る現金管理装置で表示される現金投入要求画面について示した説明図である。
【図８】第１の実施形態に係る現金管理装置で表示される問合せ画面について示した説明図である。
【図９】第１の実施形態に係る現金管理装置で表示される紙幣取出要求画面について示した説明図である。
【図１０】第１の実施形態に係る現金管理装置で表示される紙幣・硬貨取出要求画面について示した説明図である。
【図１１】第１の実施形態に係る現金管理装置で印刷されるレシートの構成例について示した説明図である。
【図１２】第２の実施形態に係る現金管理装置で計数取引（通常の計数取引、又は連続計数取引）が行われる場合の動作の例について示したフローチャートである。
【図１３】第３の実施形態に係る現金管理装置の機能的構成を示すブロック図である。
【図１４】第３の実施形態に係る現金管理装置で計数取引（通常の計数取引、又は連続計数取引）が行われる場合の動作の例について示したフローチャートである。
【図１５】第１及び第２の実施形態の変形例に係る現金管理装置で表示される識別子入力画面について示した説明図である。
【図１６】第１及び第２の実施形態の変形例に係る現金管理装置で印刷されるレシートの構成例について示した説明図である。
【図１７】第１及び第２の実施形態の変形例に係る現金管理装置で表示される硬貨取出要求画面について示した説明図である。
【発明を実施するための形態】
【００１０】
（Ａ）第１の実施形態
以下、本発明による現金処理装置の第１の実施形態を、図面を参照しながら説明する。この実施形態では、本発明の現金処理装置を、現金管理装置に適用した例について説明する。
【００１１】
（Ａ−１）第１の実施形態の構成
図２は、現金管理装置１の機能的構成を示すブロック図である。図３は、現金管理装置１の外観を示す斜視図である。図４は、現金管理装置１が用いられる環境の例について示した説明図である。現金管理装置１は、現金の入金処理、出金処理、及び計数取引（計数処理）等の種々の現金取引（処理）に対応する装置である。
【００１２】
この実施形態の例では、図４に示すように、現金管理装置１は、運輸機関において複数の集配センタＣを管理する支店に配置されているものとする。図４に示すように、現金管理装置１が配置された支店では、Ｎ箇所の集配センタＣ（Ｃ１〜ＣＮ）を管理しているものとする。この実施形態では、支店において現金管理装置１を操作するオペレータ（例えば、支店の係員等）が、Ｎ箇所の集配センタＣ１〜ＣＮのそれぞれから集めた現金について計数を行う。すなわち、この実施形態では、支店において現金管理装置１を操作するオペレータは、連続してＮ回の計数取引の操作を行う必要があるものとする。例えば、各集配センタＣで一日営業した際に取り扱った現金（例えば、売上金や釣銭）が、一日の営業時間終了時に各集配センタＣから支店に運ばれてくる。そして、この実施形態では、支店のオペレータは、支店に運ばれてきた各集配センタＣの現金を、それぞれ現金管理装置１に投入して計数取引を行う（各集配センタＣについて計数取引を行う）。なお、各集配センタＣに当初配布する現金（例えば、釣銭用の現金）は、現金管理装置１から出金された現金としてもよいが、この実施形態では、各集配センタＣに配布する現金の出所については限定されないものであり、詳しい説明を省略する。
【００１３】
なお、現金管理装置１の適用例は上述の例に限定されるものではなく、計数取引を含む取引に対応した種々の装置に適用することが可能である。
【００１４】
次に、現金管理装置１の内部構成について説明する。
【００１５】
図２に示すように、現金管理装置１は、大別して、制御手段としての主制御部１０、記憶部２０、表示部３０、カードリーダ４０、入力部５０、印刷部６０、紙幣部１００及び硬貨部２００を有する。
【００１６】
主制御部１０は、記憶部２０に格納された制御プログラムに基づいて、現金管理装置１全体の処理を制御するものである。主制御部１０は、出金処理や入金処理を行う入出金処理機能や、計数取引を行う機能等に対応している。また、主制御部１０は、取引内容の履歴等の情報を外部の管理端末２に送信するようにしてもよい。
【００１７】
記憶部２０は、主制御部１０の処理で利用される種々のデータを記憶する記憶手段である。
【００１８】
記憶部２０は、種々の情報を記憶する。記憶部２０は、例えば、入金取引の履歴や、出金取引の履歴や、紙幣部１００及び硬貨部２００に収納されている各金種の現金の数（有高）や、計数取引の履歴等を記憶している。さらに、記憶部２０は、主制御部１０が実行する制御プログラムや処理結果や、各種パラメータ等も記憶しているものとする。
【００１９】
紙幣部１００は、紙幣を金種別に収納・管理するものである。
【００２０】
紙幣部１００は、入金処理時に投入される紙幣を一括して受け入れると共に出金処理時に釣銭としての紙幣を排出する紙幣入出金口１１３と、この紙幣入出金口１１３に受け入れた紙幣を１枚ずつ分離して、紙幣の金種等を鑑別すると共に鑑別した紙幣を金種毎に計数する紙幣認識部１１４と、この紙幣認識部１１４で鑑別計数された紙幣を集積して一時保留する紙幣一時保留部１１５と、釣銭準備金（売上金を含む）を金種（この実施形態では、千円券、五千円券、一万円券を区別しているものとする）別に収納する釣銭用紙幣収納庫１１６と、売上金として計上する入金紙幣を金種別に収納する紙幣回収庫１１１と、紙幣リジェクト１１２と、紙幣を搬送する紙幣搬送路１１７と、制御プログラムに基づいて紙幣部１００全体の動作制御を行う制御部１１０を少なくとも有して構成される。
【００２１】
紙幣入出金口１１３には、内部に残っている紙幣（投入された紙幣又は排出した紙幣）の有無を判定する紙幣センサー１１３ａが配置されている。現金管理装置１では、計数取引において、紙幣センサー１１３ａにより、紙幣入出金口１１３から排出された紙幣（計数後に排出された紙幣）がオペレータにより取り出されたか否かを認識することができる。紙幣センサー１１３ａに適用する検知方式については限定されないものであるが、例えば、光学的なセンサー（例えば、検査光が紙幣により遮られるか否かにより検知するセンサー）や機械的なセンサー（例えば、紙幣によりレバーが押し下げられるか否かにより検知するセンサー）を適用することができる。
【００２２】
硬貨部２００は、硬貨を金種別に収納・管理するものである。
【００２３】
硬貨部２００は、投入される硬貨を一括して受け入れる硬貨入金口２１４と、この硬貨入金口２１４に受け入れた硬貨を１枚ずつ分離して、硬貨の金種等を鑑別すると共に鑑別した硬貨を金種毎に計数する硬貨認識部２１６と、この硬貨認識部２１６で鑑別計数された硬貨を一時保留する硬貨一時保留部２１７と、銭準備金（売上金を含む）を金種（この実施形態では、一円硬貨、五円硬貨、十円硬貨、五十円硬貨、百円硬貨、五百円硬貨を区別しているものとする）別に収納する釣銭用硬貨収納庫２１３、売上金として計上する入金硬貨を金種別に収納する硬貨回収庫２１１と、つり銭用の硬貨を出金するための硬貨出金口２１５と、硬貨リジェクト２１２と、硬貨を搬送する硬貨搬送路２１８と、制御プログラムに基づいて硬貨部２００全体の動作制御を行う制御部２１０と、硬貨入金口２１４に入金された硬貨をオペレータに返却するための硬貨返却口２１９を有する。
【００２４】
例えば、硬貨一時保留部２１７、釣銭用硬貨収納庫２１３、硬貨回収庫２１１、硬貨出金口２１５、及び硬貨返却口２１９は、金種毎に分けて硬貨を集積、収納できるように内部が区切られている。
【００２５】
硬貨返却口２１９は、硬貨入金口２１４に投入されたが、収納（例えば、硬貨回収庫２１１や釣銭用硬貨収納庫２１３に収納）されなかった硬貨（例えば、計数後の硬貨）を返却する機能を担っている。硬貨返却口２１９には、内部に残っている硬貨（排出された硬貨）の有無を判定する硬貨センサー２１９ａが配置されている。現金管理装置１では、計数取引において、硬貨センサー２１９ａにより、硬貨返却口２１９に排出された硬貨（計数後の硬貨）がオペレータにより取り出されたか否かを認識することができる。硬貨センサー２１９ａに適用する検知方式については限定されないものであるが、例えば、光学的なセンサー（例えば、検査光が硬貨により遮られるか否かにより検知するセンサー）や機械的なセンサー（例えば、硬貨によりレバーが押し下げられるか否かにより検知するセンサー）を適用することができる。
【００２６】
なお、紙幣部１００の制御部１１０及び硬貨部２００の制御部２１０は、主制御部１０の指示に従って紙幣部１００及び硬貨部２００を制御する。
【００２７】
表示部３０は、例えば、液晶ディスプレイ（ＬＣＤ）等により、現金管理装置１の各種処理操作の案内、入力画面、入力情報、金種別の入金金額又は出金金額等を表示する表示手段である。
【００２８】
カードリーダ４０は、オペレータが使用するＩＤカードに記録（例えば、磁気ストライプ等に記録）されている情報を読み取り、主制御部１０に読み取り情報を与えるものである。これにより、ＩＤカードに格納されている担当者識別情報が読み取られ、入金データ及び出金データを担当者識別情報に対応付けて管理することができる。なお、担当者識別情報については、カードリーダ４０による読み取りではなく、後述する入力部５０を介して担当者識別情報の入力を受付けるようにしてもよい。
【００２９】
入力部５０は、オペレータが操作するものであり、例えば、キーボードやテンキーなどの物理的な入力手段や、表示部３０上に配置されたタッチパネル等の入力手段を適用することができる。
【００３０】
印刷部６０は、紙幣部１００や硬貨部２００で行われた入金処理又は出金処理の金額、金種別枚数等を用紙に印刷（印字）し、レシート（伝票）として出力するものである。
【００３１】
次に、現金管理装置１において、計数取引を行う際に、現金（紙幣及び効果）を処理する基本的な流れについて図３及び図５を用いて説明する。
【００３２】
図５は、現金管理装置１において、計数取引を行う際に、現金（紙幣及び効果）を出し入れする構成について示した説明図である。
【００３３】
まず、硬貨部２００において、計数取引で硬貨を処理する基本的な流れについて説明する。
【００３４】
硬貨部２００では、計数取引を行う際に、硬貨入金口２１４からオペレータから硬貨の投入（入金）を受付ける。図３、図５に示すように、硬貨入金口２１４には、開閉体としての開閉カバー２１４ａが備えられている。オペレータは、硬貨入金口２１４に硬貨を投入（入金）する際には、開閉カバー２１４ａを手動で開けて投入することになる。なお、開閉カバー２１４ａは、制御部２１０の制御により自動的に開閉する機構としてもよい。
【００３５】
硬貨部２００から投入された硬貨は、硬貨搬送路２１８により硬貨認識部２１６に供給されて認識処理（金種等の認識処理）が行われた後、硬貨一時保留部２１７にて一時的に保留される。制御部２１０は、硬貨認識部２１６における認識結果に基づいて、投入された硬貨の金種ごとの数を計数する。そして、制御部２１０は、硬貨入金口２１４に投入された全ての硬貨について認識処理及び計数を行って硬貨一時保留部２１７に保留させる制御を行う。このとき、硬貨一時保留部２１７では、硬貨を金種ごとに分けて保留しているものとする。その後、制御部２１０は、硬貨一時保留部２１７に保留された計数済の硬貨を、硬貨返却口２１９に排出させる。硬貨返却口２１９に排出された硬貨は、オペレータにより取り出されることになる。
【００３６】
図３、図５に示すように、硬貨返却口２１９は、前方向にスライドさせて引きだしが可能な箱型の形状となっている。図５に示すように、硬貨返却口２１９は、内部が金種ごとに仕切られた形状となっている。図５では、硬貨返却口２１９が６つの収容部２１９ｂ〜２１９ｇに仕切られた構成となっている。収容部２１９ｂ〜２１９ｇには、それぞれ、５百円硬貨、百円硬貨、五十円硬貨、十円硬貨、五円硬貨、一円硬貨を収容されるものとする。硬貨返却口２１９をスライドさせる機構は、オペレータの手動によりスライドする機構としてもよいし、制御部２１０の制御により自動的にスライドする機構（図示しない駆動源により動作する機構）としてもよい。
【００３７】
硬貨部２００では、硬貨一時保留部２１７において金種ごとに分けて保留された硬貨が、そのまま（金種ごとに分けられた状態のままで）、硬貨返却口２１９の収容部２１９ｂ〜２１９ｇに供給される構成になっているものとする。例えば、硬貨返却口２１９の真上に硬貨一時保留部２１７を配置し、硬貨一時保留部２１７に保留された硬貨を落下させるだけで、落下した硬貨が金種ごとに分けられた状態で硬貨返却口２１９の収容部２１９ｂ〜２１９ｇに収まるように構成するようにしてもよい。なお、硬貨一時保留部２１７から硬貨返却口２１９への硬貨の移動は、硬貨搬送路２１８を経由する構成としてもよい。
【００３８】
主制御部１０は、連続計数取引を行う際でも、１回の計数取引の都度、硬貨一時保留部２１７から硬貨返却口２１９への硬貨の排出を行うように制御する。しかし、主制御部１０は、連続計数取引の途中では、硬貨返却口２１９からの硬貨の取出しを要求しないため、連続計数取引における最後の計数取引が終了するまでの間、硬貨返却口２１９には投入された硬貨が排出され続けることになる。
【００３９】
次に、紙幣入出金口１１３において、計数取引で硬貨を処理する基本的な流れについて説明する。
【００４０】
紙幣部１００では、計数取引を行う際に、紙幣入出金口１１３から紙幣の投入（入金）を受付ける。図３、図５に示すように、紙幣入出金口１１３には、開閉体としての開閉カバー１１３ｂが備えられている。開閉カバー１１３ｂは、制御部１１０の制御により図示しない駆動源（例えば、モーター等）により開閉動作する。オペレータは、紙幣入出金口１１３に紙幣を入金（投入）する際には、開閉カバー１１３ｂが開状態となってから投入することになる。
【００４１】
紙幣部１００から入金された紙幣は、紙幣搬送路１１７により紙幣認識部１１４に供給されて認識処理（金種等の認識処理）が行われた後、釣銭用紙幣収納庫１１６にて一時的に保留される。制御部１１０は、紙幣認識部１１４における認識結果に基づいて、投入された紙幣の金種ごとの数を計数する。そして、制御部１１０は、紙幣入出金口１１３に投入された全ての紙幣について認識処理及び計数を行って紙幣一時保留部１１５に保留することになる。このとき、紙幣一時保留部１１５では、紙幣を金種ごとに分けて保留しているものとする。その後、制御部１１０は、紙幣一時保留部１１５に保留された計数済の紙幣を、紙幣入出金口１１３に排出させるように制御する。紙幣入出金口１１３に排出された紙幣は、オペレータにより取り出されることになる。
【００４２】
この実施形態では、主制御部１０は、連続計数取引の途中でも、取引が１回終了するごとに、紙幣一時保留部１１５で保留された紙幣を、全て紙幣入出金口１１３に排出し、オペレータから取り出させる処理を行うものとする。
【００４３】
次に、現金管理装置１で計数取引が行われる際の構成について説明する。
【００４４】
この実施形態の現金管理装置１では、複数回連続した計数取引（連続計数取引）を行う際に、オペレータの操作負担軽減や処理時間（Ｎ回連続して計数取引を行う際に、１回目からＮ回目までの計数取引が完了するまでの処理時間）の短縮をするための種々の処理が行われる。
【００４５】
従来の現金管理装置では、複数回連続で計数取引を行う際には、オペレータから現金（紙幣及び硬貨）の投入（入金）を受付け、投入された現金を計数して、返却口（出金口）から排出してオペレータからの取り出しを確認（例えば、センサーにより確認）し、現金の取り出しを確認した後、次の計数取引に移行する。これに対して、第１の実施形態の現金管理装置１では、連続して複数回の計数取引を行っている間、少なくとも硬貨については、硬貨返却口２１９に排出した後、硬貨返却口２１９に排出された硬貨の取り出しを要求せずに、そのまま次の計数取引に移行するものとする。ただし、第１の実施形態の現金管理装置１では、連続して計数取引を行う際に、最後の計数取引（例えば、合計Ｎ回の連続計数取引におけるＮ回目の計数取引）を行う際には、オペレータによる硬貨返却口２１９からの現金の取り忘れを防ぐため、硬貨返却口２１９からの硬貨の取り出し確認（硬貨センサー２１９ａを用いた確認）の後、計数取引を終了する。
【００４６】
以上のように第１の実施形態では、硬貨部２００の硬貨入金口２１４、及び紙幣部１００の紙幣入出金口１１３を含む構成により、現金（紙幣及び硬貨）の投入を受ける現金投入手段が実現されている。また、第１の実施形態では、主制御部１０と、紙幣部１００の紙幣認識部１１４と、硬貨部２００の硬貨認識部２１６とを含む構成により、投入された現金（紙幣及び硬貨）を計数する計数手段が実現されている。さらに、第１の実施形態では、紙幣部１００の紙幣入出金口１１３と、硬貨部２００の硬貨返却口２１９とを含む構成により、現金を返却する返却手段が実現されている。すなわち、この実施形態では、紙幣入出金口１１３が紙幣を返却する紙幣返却口としても機能している。
【００４７】
（Ａ−２）第１の実施形態の動作
次に、以上のような構成を有する第１の実施形態の現金管理装置１の動作を説明する。
【００４８】
図１は、現金管理装置１で計数取引（通常の計数取引、又は連続計数取引）が行われる場合の動作の例について示したフローチャートである。
【００４９】
まず、オペレータにより、現金管理装置１にＩＤ入力が行われ、主制御部１０がＩＤ入力に伴うログイン処理を行ったものとする（Ｓ１０１）。現金管理装置１では、例えば、カードリーダ４０へのカード挿入や入力部５０への番号入力等の種々の入力方式によりＩＤ入力を受付けるようにしてもよい。
【００５０】
次に、主制御部１０は、オペレータから取引の選択を受け付ける処理を行う（Ｓ１０２）。主制御部１０がオペレータから取引選択を受付ける処理の具体的な方式は限定されないものである。ここでは、主制御部１０は、表示部３０に複数の取引を提示していずれかの取引選択を受付ける操作画面（以下、「取引選択画面」と呼ぶ）を表示させ、オペレータから計数取引の選択を受付けたものとする。
【００５１】
図６は、取引選択画面の構成例について示した説明図である。
【００５２】
図６に示す取引選択画面では、実行可能な５つの取引のそれぞれに対応するボタンＢ１０１〜Ｂ１０５が表示されている。取引選択画面で、いずれかのボタンが選択操作（例えば、タッチパネルによるタッチ操作や、数字キーによる選択操作等）されると、主制御部１０は、選択操作されたボタンに対応する取引を開始する。ここでは、計数取引に対応するボタンＢ１０１が押下されたものとして以下の説明を行う。
【００５３】
計数取引が選択されると、主制御部１０は、オペレータに現金（紙幣及び硬貨）の入金（投入）を要求し、オペレータから現金（紙幣及び硬貨）の入金を受付ける（Ｓ１０３）。
【００５４】
ここでは、主制御部１０は、オペレータに現金投入を要求（誘導）する操作画面（以下、「現金投入要求画面」と呼ぶ）を表示部３０に表示させ、オペレータに対して現金投入を誘導する処理を行うものとする。なお、以下では、現金管理装置１に紙幣及び硬貨が投入されたものとして以下の説明を行う。
【００５５】
図７は、現金投入要求画面の構成例について示した説明図である。
【００５６】
図７に示す現金投入要求画面では、オペレータに現金の投入（入金）を要求するメッセージ（図７では、「現金を投入してください」というメッセージ）を表示している。なお、現金投入要求画面の内容は、オペレータに現金投入を誘導することができれば、具体的な内容は、図７の内容に限定されないものである。
【００５７】
現金（紙幣、及び硬貨）が投入されると、主制御部１０は、投入された現金の計数処理を行うように、紙幣部１００及び硬貨部２００を制御する（Ｓ１０４）。
【００５８】
主制御部１０は、紙幣部１００を制御して、紙幣入出金口１１３に投入された現金を紙幣認識部１１４に搬送させて認識処理及び計数処理を実行させてから紙幣一時保留部１１５に一時保留させる。主制御部１０は、紙幣認識部１１４の認識結果に基づいて、投入された現金の金種ごとの数を把握することができる。また、主制御部１０は、硬貨部２００を制御して、硬貨入金口２１４に投入された硬貨を硬貨認識部２１６に搬送させて認識処理及び計数処理を実行させてから硬貨一時保留部２１７に一時保留させる。
【００５９】
計数処理を終了すると、主制御部１０は、オペレータから、次の処理の選択を受付ける（Ｓ１０５）。
【００６０】
ここでは、主制御部１０は、計数取引を終了するごとに、計数結果を提示すると共に、次の計数取引に移行（連続計数取引を継続）する「連続計数取引継続」、次の計数取引を行わずに終了（連続計数取引を終了）する「連続計数取引終了」、又は今回の計数取引で計数する現金を追加する「追加計数」のいずれかの処理の選択をオペレータから受付けるものとする。すなわち、この実施形態の主制御部１０は、計数取引を終了するごとに、計数結果を提示する共に、次の処理として「連続計数継続」、「連続計数取引終了」、又は「追加計数」のいずれかの選択をオペレータに問い合わせる操作画面（以下、「問合せ画面」と呼ぶ）を表示部３０に表示させるものとする。なお、このとき、追加計数の選択肢については省略するようにしてもよい。
【００６１】
図８は、問合せ画面の構成例について示した説明図である。
【００６２】
図８に示す問合せ画面では、直前に行った計数取引で計数した金額を表示するフィールドＦ１０１と、今回の計数取引で複数回計数取引を行っている場合の合計金額（複数回計数取引を行った際の合計金額）を表示するフィールドＦ１０２と、「追加計数」を選択するためのボタンＢ２０１と、「連続計数取引継続」を選択するためのボタンＢ２０２（「連続計数」と表示されたボタン）と、連続計数取引終了（フィールドＦ１０１、Ｆ１０２に表示された内容を確認して終了）を選択するためのボタンＢ２０３（「確認」と表示されたボタン）とが表示されている。
【００６３】
主制御部１０はステップＳ１０５の問合せ画面で、「追加計数」が選択（ボタンＢ２０１が押下）された場合上述のステップＳ１０３に戻って追加の計数取引に移行し、「連続計数継続」が選択（ボタンＢ２０２が押下）された場合には後述するステップＳ１０６に移行し、「連続計数取引終了」が選択（確認ボタンＢ２０３が押下）された場合には、後述するステップＳ１１１に移行する。
【００６４】
上述のステップＳ１０５で連続計数継続が選択されると、主制御部１０は、硬貨部２００を制御して、硬貨一時保留部２１７に保留された硬貨を硬貨返却口２１９に排出（搬送）させる（Ｓ１０６）。ただし、この時点では、連続計数取引の途中であるため、主制御部１０は、硬貨返却口２１９からの硬貨の取出しを確認（要求）することなく次の処理に移行する。
【００６５】
次に、主制御部１０は、紙幣部１００を制御して、計数した紙幣のみ（紙幣一時保留部１１５の紙幣のみ）を紙幣入出金口１１３に排出させ、取出しを確認する（Ｓ１０７）。
【００６６】
このとき、主制御部１０は、表示部３０に紙幣の取出しを誘導するための操作画面（以下、「紙幣取出要求画面」と呼ぶ）を表示させる。
【００６７】
図９は、紙幣取出要求画面の構成例について示した説明図である。
【００６８】
図９に示す紙幣取出要求画面では、オペレータに紙幣の取出しを要求するメッセージ（図９では、「紙幣を受け取ってください」というメッセージ）を表示している。なお、紙幣取出要求画面の内容は、オペレータに紙幣取出しを誘導することができれば、具体的な内容は、図９の内容に限定されないものである。
【００６９】
主制御部１０は、紙幣一時保留部１１５に保留された紙幣を紙幣入出金口１１３に排出して紙幣取出要求画面を表示した後、紙幣の取出しが確認（紙幣センサー１１３ａを用いた確認）されると、次の処理に移行する。
【００７０】
次に、主制御部１０は、現金（紙幣及び硬貨）の投入を受付け（Ｓ１０８）計数取処理を行う（Ｓ１０９）。ステップＳ１０８、Ｓ１０９の処理は上述のステップＳ１０３、Ｓ１０４と同様の処理であるため詳しい説明を省略する。
【００７１】
そして、計数取引が終了すると、主制御部１０は、次の処理の選択を受付ける処理を行う（Ｓ１１０）。主制御部１０は、ステップＳ１１０では、上述のステップＳ１０５と同様に、「連続計数継続」（連続計数）、「連続計数取引終了」（確認）、又は「追加計数」のいずれかの選択を受付ける処理を行う。ここで主制御部１０は、「連続計数継続」（連続計数）の選択を受付けた場合上述のステップＳ１０６に戻って動作し、「連続計数取引終了」（確認）の選択を受付けた場合には後述するステップＳ１１１に移行し、「追加計数」の選択を受付けた場合には上述のステップＳ１０８から動作する。
【００７２】
上述のステップＳ１０５又は上述のステップＳ１１０で、「連続計数取引終了」の選択を受付けた場合、主制御部１０は、紙幣の返却処理（紙幣一時保留部１１５に保留された紙幣を紙幣入出金口１１３に排出する処理）、及び硬貨の返却処理（硬貨一時保留部２１７に一時保留された硬貨を硬貨返却口２１９に搬送する処理）を行い、紙幣及び硬貨の取出しを確認する（Ｓ１１１）。
【００７３】
このとき、主制御部１０は、表示部３０に紙幣及び硬貨の取出しを要求（誘導）するための操作画面（以下、「紙幣・硬貨取出要求画面」と呼ぶ）を表示させる。
【００７４】
図１０は、紙幣・硬貨取出要求画面の構成例について示した説明図である。
【００７５】
図１０に示す紙幣・硬貨取出要求画面では、オペレータに紙幣及び硬貨の取出しを要求するメッセージ（図１０では、「紙幣及び硬貨を受け取ってください」というメッセージ）を表示している。なお、紙幣・硬貨取出要求画面の内容は、オペレータに紙幣及び硬貨の取出しを誘導することができれば、具体的な内容は、図１０の内容に限定されないものである。
【００７６】
主制御部１０は、紙幣一時保留部１１５に保留された紙幣を紙幣入出金口１１３に排出し、さらに硬貨一時保留部２１７に補注された硬貨を硬貨返却口２１９に排出（搬送）させる。そして、主制御部１０は、紙幣・硬貨取出要求画面を表示し、紙幣及びの取出しが確認（紙幣センサー１１３ａ、及び硬貨センサー２１９ａを用いた確認）されると、次の処理に移行する。
【００７７】
次に、主制御部１０は、印刷部６０を制御して、今回のステップＳ１０１以後の計数取引の結果について用紙に印字させたレシートを出力させ（Ｓ１１２）、一連の取引を終了する。
【００７８】
次に、図１のフローチャートにおいて、連続計数取引を行った場合（２回以上連続して計数取引を行った場合）に、上述のステップＳ１１２で印刷されるレシートの構成例について説明する。
【００７９】
図１１は、この実施形態で集配センタＣ１〜ＣＮのそれぞれから集めた現金について連続計数取引を行った場合（すなわち、Ｎ回の計数取引を連続しておこなった場合）に上述のステップＳ１１２で印刷されるレシートの構成例について示した説明図である。
【００８０】
この実施形態の現金管理装置１（主制御部１０）は、連続計数取引を行った場合には、個別の計数取引のレシート（以下、「個別レシート」と呼ぶ）と、連続計数取引に含まれる各計数取引の計数結果を総計したレシート（以下、「総計レシート」と呼ぶ）を印刷するものとする。すなわち、１つの連続計数取引にＮ回の計数取引が含まれる場合、Ｎ枚の個別レシートと、Ｎ枚の計数取引を総計した１枚の総計レシート（計Ｎ＋１枚のレシート）が印刷される。なお、現金管理装置１（主制御部１０）において、総計レシートの印刷については省略するようにしてもよい。
【００８１】
図１１（ａ）は、１回目の計数取引（集配センタＣ１から集金した現金の計数取引）の個別レシートＲＥ１、…、Ｎ回目の計数取引（集配センタＣＮから集金した現金の計数取引）の個別レシートＲＥＮの例について図示している。図１１（ａ）に示すように各個別レシートＲＥにはＤ１１〜Ｄ１６（ただしＤ１６については障害発生時のみ印刷）の項目について印刷されている。
【００８２】
以下では、個別レシートＲＥ１を例として個別レシートＲＥの構成例について説明する。
【００８３】
項目Ｄ１１は、取引の取引名称及び取引日時について記述された項目である。図１１（ａ）において、個別レシートＲＥ１の項目Ｄ１１には、取引名称として「計数」、取引日時として、「２０１４．１２．０９１１：５０」が印刷されている。
【００８４】
項目Ｄ１２は、取引を行ったオペレータのＩＤ（ログインの際に入力されたＩＤ）と、取引ＩＤ（取引ごとに付与されるシリアルナンバー）が記述される項目である。図１１（ａ）において、個別レシートＲＥ１の項目Ｄ１２には、オペレータＩＤとして「２００００１１１」、取引ＩＤとして「９９９９１」が印刷されている。
【００８５】
項目Ｄ１３は、計数取引を行った際の金種ごとの枚数について記述された項目である。図１１（ａ）において、個別レシートＲＥ１の項目Ｄ１３には、一万円札、五千円札、二千円札、千円札、五百円硬貨、百円硬貨、五十円硬貨、十円硬貨、五円硬貨、一円硬貨のそれぞれの枚数（計数された枚数）が印刷されている。
【００８６】
項目Ｄ１４は、計数取引を行った際の計数額（項目Ｄ１３の合計金額）が記述された項目である。図１１（ａ）において、個別レシートＲＥ１の項目Ｄ１４には、合計金額として「１，０００，０００円」が印刷されている。
【００８７】
項目Ｄ１５は、項目Ｄ１４の計数額を符号化した画像やデータが表示された項目である。項目Ｄ１５に適用する符号化方式や表示方式は限定されないものであり、例えば、一次元バーコードや二次元バーコードとしてもよい。項目Ｄ１５を付加することにより、計数額を別の装置に読み込ませる際の誤入力等を防止することができる。
【００８８】
項目Ｄ１６は、計数取引を行った際に障害が発生した場合、その発生した障害の内容（例えば、発生した障害に対応する識別コード）が記述された項目である。なお、計数取引中に障害が発生しなかった場合、項目Ｄ１６は記述されない。図１１（ａ）において、個別レシートＲＥ１では、項目Ｄ１６の項目には、障害発生した旨を示すメッセージとして「障害発生、その障害に対応する識別コードとして「ＸＸＸＸ−ＸＸ−ＸＸＸＸ」が記述されている。
【００８９】
図１１（ｂ）は、図１１（ａ）の個別レシートＲＥ１〜ＲＥＮについて総計した総計レシートＲＳの例について図示している。
【００９０】
図１１（ｂ）は、Ｎ回の計数取引の総計（集配センタＣ１〜ＣＮから集金した現金の総計）を示す総計レシートＲＳの例について図示している。図１１（ｂ）に示すように総計レシートＲＳにはＤ２１〜Ｄ２４の項目について印刷されている。
【００９１】
項目Ｄ２１は、取引の取引名称及び取引日時について記述された項目である。図１１（ａ）において、総計レシートＲＳの項目Ｄ２１には、取引名称として「計数」、取引日時として、「２０１４．１２．０９  １２：５０」（Ｎ回目の取引終了に日時）が印刷されている。
【００９２】
項目Ｄ２２は、取引を行ったオペレータＩＤ（ログインの際に入力されたＩＤ）と、取引ＩＤ（連続計数取引の各計数取引の取引ＩＤ）が記述される項目である。図１１（ａ）において、総計レシートＲＳの項目Ｄ２２には、オペレータＩＤとして「２００００１１１」、取引ＩＤとして「９９９９１〜９９９９Ｎ」（１〜Ｎ回目までの取引ＩＤ）が印刷されている。
【００９３】
項目Ｄ２３は、連続計数取引において計数した金種ごとの合計枚数（について記述された項目である。例えば、図１１（ｂ）では、項目Ｄ２３の「万」（一万円札）に「８００枚」と記載されているため、Ｎ回の計数取引で合計８００枚の一万円札が計数されたことを示している。
【００９４】
項目Ｄ２４は、連続計数取引において計数した現金の総計数額（項目Ｄ２３の合計金額）が記述された項目である。図１１（ｂ）の総計レシートＲＳでは、項目Ｄ２４には、総計数額として「１０，０００，０００円」が印刷されている。
【００９５】
なお、総計レシートＲＳについても、個別レシートＲＥの項目Ｄ１５と同様に、総計数額を符号化した画像（例えば、一次元バーコードや二次元バーコード等）の項目を追加するようにしてもよい。また、総計レシートＲＳについても、個別レシートＲＥの項目Ｄ１６と同様に、連続計数取引を行う間に障害発生した場合の項目を追加するようにしてもよい。
【００９６】
（Ａ−３）第１の実施形態の効果
第１の実施形態によれば、以下のような効果を奏することができる。
【００９７】
第１の実施形態の現金管理装置１では、１つの計数取引が終了する度に、問合せ画面により、連続計数取引を継続する（連続して次の計数取引を行う）か否かを問合せて、任意の回数連続して計数取引を行う連続計数機能に対応している。これにより、連続して計数取引を行う際の冗長的な作業を省略（例えば、ステップＳ１０１のＩＤ入力の作業等を省略）し、オペレータの作業量を軽減している。
【００９８】
第１の実施形態の現金管理装置１では、連続計数取引を行う際に、計数した硬貨を硬貨返却口２１９に排出した後、次の計数取引を行う場合には、硬貨返却口２１９に排出された硬貨の取り出しを要求せずに、そのまま次の計数取引に移行する。これにより、第１の実施形態の現金管理装置１では、連続計数取引において、オペレータは計数取引の都度硬貨を取り出すことなく計数取引を続行することが可能となる為、オペレータの作業量を軽減することができる。
【００９９】
また、この実施形態の現金管理装置１では、連続計数取引を行う際に、最後の計数取引（例えば、合計Ｎ回の連続計数取引におけるＮ回目の計数取引）を行う際には、硬貨返却口２１９からの硬貨の取り出し確認（硬貨センサー２１９ａを用いた確認）の後、計数取引を終了する。これにより、この実施形態の現金管理装置１では、連続計数取引の途中で硬貨の取出し要求をせずにオペレータの作業量を軽減しつつ、最後の計数取引において現金の取り忘れを防ぐことができる。
【０１００】
なお、ステップＳ１１１において、複数の計数取引の硬貨が硬貨返却口２１９に混ざることになるが、この実施形態では、オペレータの連続計数取引における作業効率を重視して、数の計数取引の硬貨が硬貨返却口２１９に混ざることを容認する例となっている。この場合でも、連続計数取引の後に、計数した現金をまとめて処理する場合（例えば、まとめて振込処理等を行う場合）には、複数の計数取引の現金が混ざることのデメリットはないことになる。また、個別レシートＲＥの内容に基づいて、各計数取引（各集配センタＣ）に対応する硬貨の内容（金種ごとの枚数）を把握することもできるため、仮に連続計数取引後に、計数取引ごとに硬貨を分ける必要が発生した場合でも問題はない。
【０１０１】
（Ｂ）第２の実施形態
以下、本発明による現金処理装置の第２の実施形態を、図面を参照しながら説明する。この実施形態では、本発明の現金処理装置を、現金管理装置に適用した例について説明する。
【０１０２】
（Ｂ−１）第２の実施形態の構成
第２の実施形態の現金管理装置１の構成についても、第１の実施形態と同様に図２〜図４を用いて説明することができる。以下では、第２の実施形態について、第１の実施形態との差異を説明する。
【０１０３】
第２の実施形態では、連続計数取引において、主制御部１０が行う処理の流れが異なっている。第１の実施形態では、図１のフローチャートに示すように、連続計数取引において、最後の計数取引が終了した後にまとめてレシートの印刷（個別レシートＲＥ及び総計レシートＲＳの印刷）を行っている。これに対して、第２の実施形態の現金管理装置１（主制御部１０）は、計数取引の都度、個別レシートＲＥを印刷し、全ての計数取引の終了後に総計レシートＲＳの印刷を行う。
【０１０４】
（Ｂ−２）第２の実施形態の動作
次に、以上のような構成を有する第２の実施形態の現金管理装置１の動作を説明する。
【０１０５】
図１２は、現金管理装置１で計数取引（通常の計数取引、又は連続計数取引）が行われる場合の動作の例について示したフローチャートである。図１２のフローチャートでは、第１の実施形態（上述の図１）と同一の処理については同一のステップ番号（符号）を付している。
【０１０６】
図１２のフローチャートでは、ステップＳ１０７とステップＳ１０８の間にステップＳ２０１が挿入され、ステップＳ１１２の処理がステップＳ２０２に置き換わっている点で、第１の実施形態（上述の図１）と異なっている。
【０１０７】
第２の実施形態では、ステップＳ１０７で紙幣の返却及び取出しが確認された場合（すなわち、連続計数取引の過程で１つの計数取引が終了した場合）に、主制御部１０は、印刷部６０を制御して、終了した計数取引の個別レシートＲＥを印刷させる（Ｓ２０１）。例えば、直近のステップＳ１０７の処理で終了した計数取引が集配センタＣＸ（Ｘは１〜Ｎのいずれかの整数）の計数取引だった場合、ステップＳ２０１において、主制御部１０は、印刷部６０を用いて、集配センタＣＸの個別レシートＲＥＸを印刷する処理を行うことになる。
【０１０８】
また、第２の実施形態では、一連の連続計数取引が終了し、ステップＳ１１１で紙幣及び硬貨の返却と取出しの確認が行われた後、主制御部１０は、印刷部６０を制御して、最後に実行した計数取引の個別レシートＲＥと、全ての計数取引の総計を示す総計レシートＲＳとを印刷させる処理を行う（Ｓ２０２）。
【０１０９】
例えば、一連の連続計数取引でＮ回の計数取引（集配センタＣ１〜ＣＮから集めたそれぞれの現金に対する計数取引）が行われる場合、ステップＳ２０２において、主制御部１０は、印刷部６０を用いて、最後に実行されたＮ回目の計数取引（集配センタＣＮの計数取引）の個別レシートＲＥＮと、総計レシートＲＳを印刷させる処理を行うことになる。
【０１１０】
（Ｂ−３）第２の実施形態の効果
第２の実施形態によれば、以下のような効果を奏することができる。
【０１１１】
第２の実施形態の現金管理装置１では、連続計数取引において、１つの計数取引ごとに個別レシートＲＥを印刷している。これにより、第２の実施形態では、現金（少なくとも紙幣）と個別レシートＲＥを同時に管理（例えば、集配センタＣごとの現金と個別レシートＲＥを同時に管理）できる。
【０１１２】
また、第１の実施形態では、連続計数取引において、全ての計数取引（例えば、Ｎ回の計数取引）の後にまとめて個別レシートＲＥを印刷（例えば、Ｎ枚の個別レシートＲＥを印刷）しているが、第２の実施形態では計数取引の都度個別レシートＲＥを印刷しているので、全体の処理時間を短くすることができる。例えば、直前の計数取引の個別レシート印刷（ステップＳ２０１）と、次の計数取引の現金投入（ステップＳ１０８）は同時に進行することができれば、第１の実施形態と比較して連続計数取引の処理時間を短くすることができる。
【０１１３】
（Ｃ）第３の実施形態
以下、本発明による現金処理装置の第３の実施形態を、図面を参照しながら説明する。この実施形態では、本発明の現金処理装置を、現金管理装置に適用した例について説明する。
【０１１４】
（Ｃ−１）第３の実施形態の構成
第１及び第２の実施形態の現金管理装置１では、連続計数取引を行う際に、計数した硬貨を硬貨返却口２１９に排出した後、次の計数取引を行う場合には、硬貨返却口２１９に排出された硬貨の取り出しを要求せずに、そのまま次の計数取引に移行している。
【０１１５】
第３の実施形態の現金管理装置１Ｂでは、硬貨と同様に紙幣についても、計数後に取出しを要求せずにそのまま次の計数取引に移行するものとする。
【０１１６】
図１３は、第３の実施形態の現金管理装置１Ｂの機能的構成を示した図である。図１３では、上述の図２と同一部分又は対応部分に同一符号又は対応符号を付している。以下では、第３の実施形態について、第１及び第２の実施形態との差異を説明する。
【０１１７】
第３の実施形態の現金管理装置１Ｂでは、紙幣部１００が紙幣部１００Ｂに置き換わっている点で第１及び第２の実施形態と異なっている。
【０１１８】
紙幣部１００Ｂでは、計数処理後の紙幣を返却するための紙幣返却口１１８が設けられている点で第１及び第２の実施形態と異なっている。
【０１１９】
第１及び第２の実施形態では、紙幣入出金口１１３が紙幣返却口の機能を担っているため、返却(排出)された紙幣を取り除かないと次の計数取引の紙幣を投入することができない。そのため、第３の実施形態の現金管理装置１Ｂにおいて、紙幣返却口１１８を別途設けることにより、オペレータに紙幣の取出しを要求せずに次の取引に移行することができる。また、紙幣返却口１１８には、内部の紙幣の有無を検知することができる紙幣センサー１１８ａが配置されている。
【０１２０】
なお、現金管理装置１において、紙幣返却口１１８を設ける位置については限定されないものである。紙幣返却口１１８としては、複数の計数取引で返却された紙幣を集積可能な構成（例えば、オープンポケットの構成）であるものとする。
【０１２１】
（Ｃ−２）第３の実施形態の動作
次に、以上のような構成を有する第３の実施形態の現金管理装置１Ｂの動作を説明する。
【０１２２】
図１４は、現金管理装置１Ｂで計数取引（通常の計数取引、又は連続計数取引）が行われる場合の動作の例について示したフローチャートである。図１４のフローチャートでは、第１の実施形態（上述の図１）と同一の処理については同一のステップ番号（符号）を付している。
【０１２３】
図１４のフローチャートでは、ステップＳ１０７、ステップＳ１１１が、それぞれステップＳ３０１、Ｓ３０２に置き換わっている点で、上述の図１と異なっている。
【０１２４】
図１４のフローチャートでは、連続計数取引の途中（ステップＳ３０１）にて、計数済の紙幣が紙幣返却口１１８に返却（排出）されるものの、紙幣の取出しは確認されずに次の処理に移行している。そして、図１４のフローチャートでは、最後の計数取引の計数処理の後（ステップＳ３０２）にて、最後の計数取引で計数した紙幣及び硬貨が返却され、取出しが確認された後、次の処理（ステップＳ１１２のレシート印刷の処理）に移行している。このとき、主制御部１０は、紙幣を紙幣返却口１１８に返却（排出）し、紙幣センサー１１８ａにより取出しを確認する処理を行う点で、第１の実施形態のステップＳ１１１と異なっている。
【０１２５】
（Ｃ−３）第３の実施形態の効果
第３の実施形態によれば、以下のような効果を奏することができる。
【０１２６】
第３の実施形態では、連続計数取引の途中にて、計数取引の都度紙幣についても取出しの確認を行わない。したがって、第３の実施形態において、連続計数取引オペレータが返却された紙幣及び硬貨の取出しを行うのは最後の計数取引が終わった後の一回だけとなる。そのため、第３の実施形態では、第１及び第２の実施形態よりも、オペレータの作業負担が軽減されることになる。
【０１２７】
（Ｄ）他の実施形態
本発明は、上記の各実施形態に限定されるものではなく、以下に例示するような変形実施形態も挙げることができる。
【０１２８】
（Ｄ−１）上記の各実施形態の現金管理装置１において、計数取引の都度、当該計数取引に対応する識別子（例えば、例えば、集配センタＣの識別子）の入力を要求し、個別レシートＲＥに当該個別レシートに対応する識別子又は識別子に対応する名称（例えば、集配センタＣの名称等）を印刷するようにしてもよい。
【０１２９】
例えば、図１、図１２のフローチャートにおいて、主制御部１０は、現金投入の直後（例えば、上述のステップＳ１０３及びステップＳ１０８の直後）に、オペレータに、次の計数取引に対応する集配センタＣの識別子の入力を受付けるようにしてもよい。各集配センタＣの識別子の形式については限定されないものである。例えば、集配センタＣ１の識別子を「１」、集配センタＣ２の識別子を「２」、・・・、集配センタＣＮの識別子を「Ｎ」とするようにしてもよい。なお、現金管理装置１において、上述の識別子の入力は、カードリーダ４０にカード（各集配センタＣに対応するカード）を読込ませることにより行うようにしてもよい。
【０１３０】
図１５は、識別子入力画面の構成例について示した説明図である。
【０１３１】
図１５に示す識別子入力画面では、次の計数取引に対応する集配センタの識別子（例えば、１〜Ｎのいずれかの数字）の入力を受付けるフィールドＦ３０１と、フィールドＦ３０１に入力された識別子で次の処理に移行するためのる確認ボタンＢ３０１が配置されている。主制御部１０は、識別子入力画面で、フィールドＦ３０１に識別子が入力され確認ボタンＢ３０１が押下されると、次の処理（例えば、ステップＳ１０３又はステップＳ１０９の計数処理）に移行する。
【０１３２】
そして、主制御部１０は、個別レシートＲＥを印刷させる際に、現金投入の際に入力された識別子に対応する集配センタＣの名称（例えば、「集配センタＣ１」、「集配センタＣ２」、・・・、「集配センタＣＮ」という文字列）を印刷するようにしてもよい。
【０１３３】
例えば、図１６に示すように、個別レシートＲＥに当該計数取引に対応する識別子に対応する名称（又は識別子自体）を記述する項目Ｄ１７を追加するようにしてもよい。図１６では、項目Ｄ１７に、対応する集配センタの名称（集配センタＣ１〜ＣＮのいずれか）を表示している。例えば、図１６では、集配センタＣ１に対応する個別レシートＲＥ１の項目Ｄ１７に「集配センタＣ１」と印刷されている。また、例えば、図１６では、集配センタＣＮに対応する個別レシートＲＥＮの項目Ｄ１７に「集配センタＣＮ」と印刷されている。
【０１３４】
（Ｄ−２）上記の各実施形態の現金管理装置１で連続計数取引を行う際に、硬貨返却口２１９のいずれかの収容部２１９ｂ〜２１９ｇに所定以上の枚数の硬貨が残留している場合、一旦連続計数取引を中断して、オペレータに硬貨返却口２１９からの硬貨の取出しを要求し、硬貨返却口２１９からの硬貨の取出しが完了した後、次の処理に移行するようにしてもよい。
【０１３５】
このとき、主制御部１０は、表示部３０に硬貨の取出しを誘導するための操作画面（以下、「硬貨取出要求画面」と呼ぶ）を表示させる。
【０１３６】
図１７は、硬貨取出要求画面の構成例について示した説明図である。
【０１３７】
図１７に示す硬貨取出要求画面では、オペレータに硬貨の取出しを要求するメッセージ（図１７では、「硬貨返却口が一杯です。硬貨を受け取ってください」というメッセージ）を表示している。なお、硬貨取出要求画面の内容は、オペレータに硬貨の取出しを要求することができれば、具体的な内容は、図１７の内容に限定されないものである。
【０１３８】
例えば、主制御部１０では、予め収容部２１９ｂ〜２１９ｇごと（金種ごと）に閾値を設けて記憶しておき、さらに、硬貨返却口２１９（各収容部２１９ｂ〜２１９ｇ）に排出した硬貨の枚数を金種ごとにカウントするようにしてもよい。そして、主制御部１０は、連続計数取引において、硬貨を硬貨返却口２１９に排出（搬送）する際（例えば、上述の図１、図１２におけるステップＳ１０６又はステップＳ１１１の直前）に、今回の計数取引で、硬貨返却口２１９に残留する枚数が閾値を超えてしまう金種が有った場合、オペレータに硬貨返却口２１９からの硬貨の取出しを要求し、硬貨返却口２１９からの硬貨取出し（全ての金種の硬貨の取出し）が完了した後、次の計数取引に移行するようにしてもよい。
【０１３９】
例えば、硬貨返却口２１９の収容部２１９ｂに五百円硬貨を１０００枚まで収容可能であり、主制御部１０において、収容部２１９ｂに収容可能な五百円硬貨の枚数（五百円硬貨に対応する閾値）が「１０００」に設定されていたものとする。そして、連続計数取引の過程で、仮に、現在硬貨返却口２１９の収容部２１９ｂに残留している五百円硬貨の枚数が９５０枚であったとする。このとき、主制御部１０は、最新の計数取引の計数結果において五百円硬貨の枚数が５０枚以上だった場合、収容部２１９ｂに収容する五百円硬貨が閾値以上となってしまうため、一旦連続計数取引を中断してオペレータに硬貨返却口２１９からの硬貨取出し（全ての金種の硬貨の取出し）を要求し、硬貨の取出しが確認された後、次の処理（硬貨一時保留部２１７から硬貨返却口２１９への硬貨の排出）を行う。一方、最新の計数取引の計数結果において五百円硬貨の枚数が５０枚未満だった場合、収容部２１９ｂに収容する五百円硬貨が閾値未満に収まるため、主制御部１０は、そのまま次の処理（硬貨一時保留部２１７から硬貨返却口２１９への硬貨の返却）に移行するようにしてもよい。なお、主制御部１０において、各収容部２１９ｂ〜２１９ｇ（各金種）に対して設定する閾値は、収容可能な枚数以下であれば任意の枚数を設定するようにしてもよい。
【０１４０】
（Ｄ−３）第１の実施形態の現金管理装置１において、連続計数取引の過程で、計数取引を継続不可能な障害（例えば、紙幣や硬貨のジャム等）が発生した場合には、印刷部６０を制御して、正常に終了した計数取引の個別レシートＲＥ及び総計レシートＲＳを印刷させて処理を終了するようにしてもよい。また、第２の実施形態の現金管理装置１において、連続計数取引の過程で、計数取引を継続不可能な障害が発生した場合には、印刷部６０を制御して、正常に終了した計数取引の総計レシートＲＳを印刷させて処理を終了するようにしてもよい。
【符号の説明】
【０１４１】
１…現金管理装置、１０…主制御部、２０…記憶部、３０…表示部、４０…カードリーダ、５０…入力部、６０…印刷部、１００…紙幣部、１１０…制御部、１１１…紙幣回収庫、１１２…紙幣リジェクト、１１３…紙幣入出金口、１１３ａ…紙幣センサー、１１３ｂ…開閉カバー、１１４…紙幣認識部、１１５…紙幣一時保留部、１１６…釣銭用紙幣収納庫、１１７…紙幣搬送路、２００…硬貨部、２１０…制御部、２１１…硬貨回収庫、２１２…硬貨リジェクト、２１３…釣銭用硬貨収納庫、２１４…硬貨入金口、２１４ａ…開閉カバー、２１５…硬貨出金口、２１６…硬貨認識部、２１７…硬貨一時保留部、２１８…硬貨搬送路、２１９…硬貨返却口、２１９ａ…硬貨センサー、２１９ｂ〜２１９ｇ…収容部。
【図１】
2018005279.tif 000003
【図２】
2018005279.tif 000004
【図３】
2018005279.tif 000005
【図４】
2018005279.tif 000006
【図５】
2018005279.tif 000007
【図６】
2018005279.tif 000008
【図７】
2018005279.tif 000009
【図８】
2018005279.tif 000010
【図９】
2018005279.tif 000011
【図１０】
2018005279.tif 000012
【図１１】
2018005279.tif 000013
【図１２】
2018005279.tif 000014
【図１３】
2018005279.tif 000015
【図１４】
2018005279.tif 000016
【図１５】
2018005279.tif 000017
【図１６】
2018005279.tif 000018
【図１７】
2018005279.tif 000019